(57)【要約】【課題】ヒストリカルトレンドモード時における測定データの比較／確認を容易に行える記録計を提供する。【解決手段】外部から入力される各種測定データを記録し、記録した測定データにおける測定波形を表示する波形表示領域を時間軸方向にスクロール移動可能なヒストリカルトレンドモード表示機能を有する記録計において、ヒストリカルトレンドモードから測定波形の任意の測定日時の測定値を測定値表示領域に表示するためのカーソル線を表示するカーソル線表示モードに切り替えるカーソル線表示切替手段と、カーソル線表示モード時に、カーソル線とカーソル線と測定波形とが交差した位置の測定日時と当該測定日時の測定値とを識別可能に表示させる表示制御手段とを備えた。【選択図】図１
2007132672.tif 000002
【特許請求の範囲】
【請求項１】
外部から入力される各種測定データを記録し、該記録した測定データにおける測定波形を表示する波形表示領域を時間軸方向にスクロール移動可能なヒストリカルトレンドモード表示機能を有する記録計において、
前記波形表示領域内に、時間軸方向への移動と表示位置の固定が可能なカーソル線と該カーソル線と前記測定波形とが交差した位置の測定日時と当該測定日時の測定値とを識別可能な状態で表示制御する機能を備えたことを特徴とする記録計。
【請求項２】
外部から入力される各種測定データを記録し、該記録した測定データにおける測定波形を表示する波形表示領域を時間軸方向にスクロール移動可能なヒストリカルトレンドモード表示機能を有する記録計において、
前記ヒストリカルトレンドモードから前記測定波形の任意の測定日時の測定値を測定値表示領域に表示するためのカーソル線を表示するカーソル線表示モードに切り替えるカーソル線表示切替手段と、
前記カーソル線表示モード時に、前記カーソル線と該カーソル線と前記測定波形とが交差した位置の測定日時と当該測定日時の測定値とを識別可能に表示させる表示制御手段と、
を備えたことを特徴とする記録計。
【発明の詳細な説明】
【技術分野】
【０００１】
本発明は、例えば熱電対や測温抵抗体などの温度検出素子からの温度信号の他、接点信号や電圧信号などの複数の各種入力信号の測定データの経時変化（時間経過に対する値の変化）をチャートとして表示画面上に表示する記録計に係り、特に時間軸方向にスクロール移動して過去データを表示するヒストリカルトレンドモードにおいて、容易に測定データの前後関係を比較／確認できる記録計に関する。
【背景技術】
【０００２】
従来、例えば熱電対や測温抵抗体などの温度検出素子からの温度信号の他、接点信号、電圧信号などの信号を取り込み、この取り込んだ信号を各チャンネル毎の測定データとしてその経時変化を表示画面上にチャート表示するペーパーレスの記録計として、例えば特許文献１のような記録計が公知である。
【０００３】
図５は上記特許文献１に開示される記録計の正面図である。図５に示すように、この記録計５１は、表示部５２を有し、例えば熱電対や測温抵抗体などの温度検出素子からの温度信号の他、接点信号や電圧信号などを入力信号として取り込み、この取り込んだ信号を各チャンネル毎の測定データとして表示部５２の表示画面５２ａ上に表示している。その際、表示部５２の表示画面５２ａ上には、各チャンネル毎の測定データの経時変化がチャートとして表示されるようになっている。これにより、記録紙を必要とせず、あたかも記録紙が画面を流れるように各チャンネル毎の測定データをトレンド表示するペーパーレス記録計が構成される。
【特許文献１】特公平５−３３７２５号公報
【発明の開示】
【発明が解決しようとする課題】
【０００４】
ところで、この種の記録計では、図３に示すように測定した各種データの値を自動的に更新しながらスクロールするリアルタイムトレンドモードと、図４に示すように時間軸方向のスクロールを停止して過去の測定データを表示するヒストリカルトレンドモードという表示機能を有する。そして、ヒストリカルトレンドモードの表示画面における測定値表示領域には測定波形が目盛板と交わる時刻の測定値が表示され、画面をスクロール移動させることにより、その移動に従って波形表示領域の測定波形が目盛板と交わる時刻の測定値も随時更新される。
しかし、この表示画面では、オペレータが所望時刻の測定データの時間軸に対する前後関係を比較したり確認する場合であっても、測定値表示領域に表示したい測定値の前後が１画面上に表示されないため、測定データの時間軸に対する前後関係を同時に閲覧することができず非常に不便であった。
【０００５】
そこで、本発明は上記問題点に鑑みてなされたものであり、ヒストリカルトレンドモード時における測定データの前後関係を容易に比較／確認することのできる記録計を提供することを目的とするものである。
【課題を解決するための手段】
【０００６】
上記した目的を達成するために、請求項１記載の記録計は、外部から入力される各種測定データを記録し、該記録した測定データにおける測定波形を表示する波形表示領域を時間軸方向にスクロール移動可能なヒストリカルトレンドモード表示機能を有する記録計において、
前記波形表示領域内に、時間軸方向への移動と表示位置の固定が可能なカーソル線と該カーソル線と前記測定波形とが交差した位置の測定日時と当該測定日時の測定値とを識別可能な状態で表示制御する機能を備えたことを特徴とする。
【０００７】
請求項２記載の記録計は、外部から入力される各種測定データを記録し、該記録した測定データにおける測定波形を表示する波形表示領域を時間軸方向にスクロール移動可能なヒストリカルトレンドモード表示機能を有する記録計において、
前記ヒストリカルトレンドモードから前記測定波形の任意の測定日時の測定値を測定値表示領域に表示するためのカーソル線を表示するカーソル線表示モードに切り替えるカーソル線表示切替手段と、
前記カーソル線表示モード時に、前記カーソル線と該カーソル線と前記測定波形とが交差した位置の測定日時と当該測定日時の測定値とを識別可能に表示させる表示制御手段と、
を備えたことを特徴とする。
【発明の効果】
【０００８】
本発明の記録計によれば、ヒストリカルトレンドモード時において、波形表示領域の所望時刻の位置にカーソル線を移動固定して、カーソル線と測定波形とが交差した位置の測定日時と当該測定日時の測定値とを識別可能に表示することができるので、目的の測定データにおける前後関係の比較／確認を効率的に行うことができる。
【発明を実施するための最良の形態】
【０００９】
以下、本発明の最良の形態について、添付した図面を参照しながらそれぞれ説明する。図１は本発明に係る記録計の概略構成を説明するためのブロック図、図２は本発明に係る記録計の表示例を示す説明図である。
【００１０】
まず、図１、２を参照しながら、本例の記録計の概略構成について詳細に説明する。本例の記録計１０は、例えば熱電対や測温抵抗体などの外部の温度検出素子からの温度信号の他、接点信号や電圧信号を複数の端子部から取込み、これらの測定データを電気信号に変換して計測時間の経過に伴う計測結果を２次元表示するものであり、表示部１１、設定入力部１２と、記憶部１３と、制御部１４とで概略構成される。
【００１１】
表示部１１は、例えばＣＲＴや液晶ディスプレイなどの表示機器で構成され、制御部１４から出力される表示制御信号に基づいた表示内容を表示する。表示部１１に表示される表示画面としては、例えば図２に示すように、縦軸が時間軸、横軸がデータ量であり、測定箇所やチャンネルごとに測定した測定データの測定波形を表示する波形表示領域１１ａと、表示された各測定波形に対応した測定値を表示する測定値表示領域１１ｂとに分かれている。波形表示領域１１ａには、表示されている測定波形を時間軸方向にスクロール移動させて表示内容を切り替えるためのスクロールバー１１ｃが必要に応じて表示されるとともに、目的の時刻位置における測定波形の任意の測定値を測定値表示領域１１ｂに表示するためのカーソル線１１ｄが表示される。
【００１２】
設定入力部１２は、例えばオペレータが手動操作する設定キーや操作キーなどで構成され、記録計１０の筐体部分の所定箇所に配置されている。設定入力部１２は、例えば測定データの収録開始／停止、表示画面上にチャート表示する測定データのチャンネル数の設定、各種表示内容の表示設定など、記録計１０を駆動する上で必要な各種設定を行う際に操作し、操作された各種設定信号を制御部１４に出力する。設定入力部１２は、モード切替手段１２ａと、カーソル線表示切替手段１２ｂと、項目選択・表示移動手段１２ｃとを備えている。
【００１３】
モード切替手段１２ａは、通常の表示モードであるリアルタイムトレンドモードからヒストリカルトレンドモードとを交互に切り替え、それぞれのモードに応じた表示内容を表示する際に操作する。また、モード切替手段１２ａは、操作される度に各モードが交互に切り替わり、この切り替わったことを示す操作信号を制御部１４に出力する。
【００１４】
カーソル線表示切替手段１２ｂは、ヒストリカルトレンドモード時において、目的の時刻位置における測定波形の任意の測定値を測定値表示領域１１ｂに表示するためのカーソル線１１ｄの表示切替を行う際に操作される。
カーソル線表示切替手段１２ｂは、ヒストリカルトレンドモード時でカーソル線１１ｄが表示されていない状態で操作されると、波形表示領域１１ａ内に、時間軸方向に移動可能なカーソル線１１ｄとこのカーソル線１１ｄと測定波形とが交差した位置の測定日時を識別可能な状態で表示させるためのカーソル線表示モードに切り替えるためのカーソル線表示信号を制御部に出力する。また、カーソル線表示切替手段１２ｂは、カーソル線表示モード時に操作されると、カーソル線１１ｄの位置を固定させるためのカーソル線固定モードに切り替えるためのカーソル線固定信号を制御部に出力する。さらに、カーソル線表示切替手段１２ｂは、カーソル線固定モード時に操作されると、カーソル線１１ｄを削除するためのカーソル線削除信号を制御部に出力する。
【００１５】
項目選択・表示移動手段１２ｃは、例えば上下／左右の方向キーからなり、表示内容の何れかを選択してスクロールしたり各種表示項目を選択する際に操作し、操作されると選択された項目に関する情報や各方向へ移動したことを示す選択・移動信号を制御部１４に出力する。また、項目選択・表示移動手段１２ｃは、ヒストリカルトレンドモード時においてカーソル線１１ｄが移動可能な状態である場合、表示されたカーソル線１１ｄを時間軸方向に移動する時にのみ使用可能となる。
【００１６】
本例では、図２に示すようにモード切替手段１２ａとして「ＭＯＤＥ」キー、カーソル線表示切替手段１２ｂとして「ＣＵＲＳＯＲ」キー、項目選択・表示移動手段１２ｃとして上下／左右を選択するキーからなる方向キーがそれぞれ記録計１０の筐体部分の所定箇所に配置されている。
【００１７】
「ＭＯＤＥ」キーは、リアルタイムトレンドモード時に操作すると、リアルタイムトレンドモードからヒストリカルトレンドモードに切り替わる。このとき、表示画面もリアルタイムトレンドモードの表示画面からヒストリカルトレンドモードの表示画面に切り替わる。また、ヒストリカルトレンドモード時に「ＭＯＤＥ」キーを操作すると、ヒストリカルトレンドモードからリアルタイムトレンドモードに切り替わる。このとき、表示画面もヒストリカルトレンドモードの表示画面からリアルタイムトレンドモードの表示画面に切り替わる。
【００１８】
「ＣＵＲＳＯＲ」キーは、ヒストリカルトレンドモード時にカーソル線１１ｄが表示されていない状態で操作すると、カーソル線１１ｄを表示するためのカーソル線表示モードに切り替わり、波形表示領域１１ａに、時間軸方向に移動可能なカーソル線１１ｄとこのカーソル線１１ｄと測定波形とが交差した位置の測定日時を識別可能な状態で表示する。  また、カーソル線表示モード時に「ＣＵＲＳＯＲ」キーを操作すると、カーソル線１１ｄを固定するためのカーソル線固定モードに切り替わり、カーソル位置を固定する。
さらに、カーソル線固定モード時に「ＣＵＲＳＯＲ」キーを操作すると、カーソル線１１ｄが削除される。
【００１９】
方向キーは、リアルタイムトレンドモード時において、各種表示項目を選択したり表示内容を移動する操作キーとして使用する。また、ヒストリカルトレンドモード時には、各種表示項目を選択する他、波形表示領域１１ａをスクロール移動する際に使用する。なお、方向キーは、カーソル線表示モード時に操作した場合、波形表示領域１１ａに表示されているカーソル線１１ｄを時間軸方向にスクロール移動するときにのみ機能する。
【００２０】
記憶部１３は、例えば磁気的、光学的記憶媒体若しくはＲＯＭ、ＲＡＭなどの半導体メモリで構成され、記録計１０を駆動する上で必要な各種処理プログラムの他、外部の温度検出素子から入力した温度信号の他、接点信号や電圧信号などの各種測定データ、設定入力部１２で操作された各種キーの信号や各種設定内容などを記憶している。
【００２１】
制御部１４は、例えばＣＰＵやＲＯＭ、ＲＡＭなどのマイクロコンピュータで構成され、記憶部１３に記憶された各種処理プログラムに基づいて、記録計１０を構成する各部の動作を統括制御する。また、制御部１４は、モード判別手段１４ａと、表示制御手段１４ｂとを備えている。
【００２２】
モード判別手段１４ａは、モード切替手段１２ａが操作された際に出力される操作信号の入力回数に基づいて、現在のモードがリアルタイムトレンドモード、ヒストリカルトレンドモードのうち、どちらのモードであるかの判別をしている。
モード判別手段１４ａは、リアルタイムトレンドモード時においてモード切替手段１２ａが操作されると、リアルタイムトレンドモードに切り替えるためのリアルタイム／ヒストリカル切替信号を表示制御手段１４ｂに出力する。また、ヒストリカルトレンドモード時にモード切替手段１２が操作されると、ヒストリカルトレンドモードに切り替えるためのヒストリカル／リアルタイム切替信号を表示制御手段１４ｂに出力する。
【００２３】
表示制御手段１４ｂは、設定入力手段１２から入力した表示設定信号やモード判別手段１４ａから出力された各種信号に基づいて、表示部１１に表示する表示内容の表示制御を行うための表示制御信号を表示部１１に出力する。
【００２４】
ここで、表示制御について詳しく説明する。通常の表示画面であるリアルタイムトレンドモード時においてモード切替手段１２ａが操作されると、表示制御手段１４ｂはモード判別手段１４ａからリアルタイム／ヒストリカル切替信号を入力し、この入力に基づいて、リアルタイムトレンドモードの表示内容からヒストリカルトレンドモードの表示内容に切り替えるための表示制御信号を表示部１１に出力する。
また、カーソル線１１ｄが表示されていない状態のヒストリカルトレンドモード時にカーソル線表示切替手段１２ｂが操作されると、表示制御手段１４ｂはカーソル線表示切替手段１２ｂからカーソル線表示信号を入力し、この入力に基づいて、波形表示領域１１ａ内に、時間軸方向に移動可能なカーソル線１１ｄとこのカーソル線１１ｄと測定波形とが交差した位置の測定日時を識別可能な状態で表示するとともに、項目選択・表示移動手段１２ｃによるスクロールバー操作時に、カーソル線１１ｄが時間軸方向に位置移動可能とするための表示制御信号を表示部１１に出力する。
さらに、カーソル線１１ｄが表示されているが固定表示されていない状態のヒストリカルトレンドモード時にカーソル線表示切替手段１２ｂが操作されると、表示制御手段１４ｂはカーソル線表示切替手段１２ｂから出力されたカーソル線固定信号を入力し、この入力に基づいて、表示領域中のカーソル線１１ｄを固定表示するための表示制御信号を表示部１１に出力する。
また、カーソル線１１ｄが固定表示されている状態のヒストリカルトレンドモード時にカーソル線表示切替手段１２ｂが操作されると、表示制御手段１４ｂはカーソル線表示切替手段１２ｂから出力されたカーソル線削除信号を入力し、この入力に基づいて、表示上のカーソル線１１ｄを削除するための表示制御信号を表示部１１に出力する。
【００２５】
次に、図２〜４を参照しながら、上述した記録計１０の操作方法について具体例を挙げて説明する。以下に説明する操作方法としては、モード切替手段１２ａである「ＭＯＤＥ」キーを操作してリアルタイムトレドモードからヒストリカルトレンドモードへ切替え、カーソル線表示切替手段１２ｂである「ＣＵＲＳＯＲ」キーを操作してカーソル線１１ｄの表示／非表示やカーソル線１１ｄの固定を行う記録計１０を用いて、外部の温度検出素子で測定した測定データを目的の時間位置まで移動して所望の測定データを表示する。なお、本例では、スクロールバーは、上下の方向キーで表示画面をスクロール移動し、カーソル線１１ｄおよびカーソル線１１ｄと測定波形とが交差した位置の測定日時は背景色と異なる色で識別可能に表示される。
【００２６】
図３に示すように、測定データ表示が開始されると、表示部１１には通常のモードであるリアルタイムトレンドモードにおける表示内容が表示される。リアルタイムトレンドモード時において、オペレータは「ＭＯＤＥ」キー１２ａを押すと、図４に示すように、通常のリアルタイムトレンドモードからヒストリカルトレンドモードに切り替わり、表示画面もリアルタイムトレンドモードの表示内容からヒストリカルトレンドモードの表示内容に切り替わる。なお、本例では、図３に示すリアルタイムトレンドモードの表示と図２及び図４に示すヒストリカルトレンドモードの表示とを一目で判別できるように、各モードによって波形表示領域１１ａの背景色を切り替えている。
【００２７】
そして、オペレータがリアルタイムトレンドモードからヒストリカルトレンドモードへ切り替えた状態で「ＣＵＲＳＯＲ」キー１２ｂを押すと、図２に示すように、波形表示領域１１ａ内に、時間軸方向に移動可能なカーソル線１１ｄとこのカーソル線１１ｄと測定波形とが交差した位置の測定日時が識別可能な状態で表示される。このとき、測定値表示領域１１ｂには、カーソル線１１ｄと測定波形とが交差した位置の測定日時における測定値が表示される。そして、この状態で方向キー１２ｃを操作して、波形表示領域１１ａに表示されているカーソル線１１ｄを時間軸方向に移動させ、表示されている測定波形の目的の時間位置まで移動させる。そして、カーソル線１１ｄを目的の時間位置まで移動させた後に「ＣＵＲＳＯＲ」キー１２ｂを押してカーソル線１１ｄを所望の位置で固定させ、目的の時間位置付近の測定波形を方向キー１２ｃでスクロールさせながら測定データを表示させる。
【００２８】
このように、上述した記録計１０は、リアルタイムトレンドモード時にモード切替手段１２ａを操作してリアルタイムトレンドモードからヒストリカルトレンドモードに切り替え、ヒストリカルトレンドモード時にカーソル線表示切替手段１２ｂを操作してカーソル線１１ｄを表示する。この状態で方向キーを操作して、波形表示領域１１ａに表示されたをカーソル線１１ｄを時間軸方向に移動させ、カーソル線１１ｄを目的の時間位置まで移動させる。そして、カーソル線１１ｄを目的の時間位置に移動後、再度カーソル線表示切替手段１２ｂを操作してカーソル線１１ｄを固定し、目的の時間位置付近の測定波形を項目選択・表示移動手段１２ｃでスクロール移動させながら目的の時間位置の前後の測定データの比較／確認を行う。
これにより、ヒストリカルトレンドモード時における測定データの前後の測定値や測定波形を比較する場合であっても、カーソル線１１ｄを波形表示領域１１ａの所望の位置に固定表示させることにより、目的の測定データにおける前後の測定値や測定波形を容易に比較することができ作業の効率化を図ることができる。
【００２９】
ところで、上述した形態では、カーソル線１１ｄとこのカーソル線１１ｄと測定波形とが交差した位置の測定日時が背景色と異なる色で表示された例で説明したが、例えばカーソル線と測定日時を点滅表示させたりするなど、カーソル線と測定日時とが識別可能に表示されていれば、特に限定はされない。
また、スクロール表示画面の縦軸を時間軸方向とし、上下の方向キーによって波形表示領域１１ａをスクロール移動する構成として説明したが、例えば横軸を時間軸として左右にスクロール移動させてもよい。このような形態の場合では、スクロール移動を上下の方向キーでなく左右の方向キーを用いることでスクロール移動が時間軸に対して移動可能となる。
【００３０】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００３１】
【図１】本発明に係る記録計の概略構成を説明するためのブロック図である。
【図２】本発明に係る記録計の表示例を示す説明図である。
【図３】一般的なリアルタイムトレンドモード時の表示例を示す説明図である。
【図４】一般的なヒストリカルトレンドモード時の表示例を示す説明図である。
【図５】従来のペーパレス記録計の一例を示す説明図である。
【符号の説明】
【００３２】
１０  記録計
１１  表示部
１１ａ  波形表示領域
１１ｂ  項目選択・表示移動手段
１１ｃ  スクロールバー
１１ｄ  カーソル線
１２  設定入力部
１２ａ  モード切替手段
１２ｂ  カーソル線表示切替手段
１２ｃ  項目選択・表示移動手段
１３  記憶部
１４  制御部
１４ａ  モード判別手段
１４ｂ  表示制御手段
【図１】
2007132672.tif 000003
【図３】
2007132672.tif 000004
【図５】
2007132672.tif 000005
【図２】
2007132672.tif 000006
【図４】
2007132672.tif 000007